(57)【要約】【課題】  マウスが２つ並列された樹脂製のベルマウスが外力を受けたときに、マウスの変位が抑制される送風機を提供する。【解決手段】  本発明の送風機１６は、第１ファン１７ａと、第１ファン１７ａと並列に設けられる第２ファン１７ｂとを有する、ファン部１７と、第１ファン１７ａの周囲を取り囲む第１マウス２１と、第２ファン１７ｂの周囲を取り囲む第２マウス２２を有し、樹脂材料からなるベルマウス２０と、を備え、第１マウス２１と第２マウス２２は、外力を受けて変位すると、互いに対向する部位が接することを特徴とする。【選択図】図２
2015113818.tif 000002
【特許請求の範囲】
【請求項１】
第１ファンと、前記第１ファンと並列に設けられる第２ファンとを有する、ファン部と、
前記第ファンの周囲を取り囲む第１マウスと、前記第２ファンの周囲を取り囲む第２マウスを有し、樹脂材料からなるベルマウスと、を備え、
前記第１マウスと前記第２マウスは、外力を受けて変位すると、互いに対向する部位が接する、
ことを特徴とする送風機。
【請求項２】
前記第１マウスと前記第２マウスの互いに対向する前記部位に平坦な面が形成されている、
請求項１に記載の送風機。
【請求項３】
第１ファンと、前記第１ファンと並列に設けられる第２ファンとを有する、ファン部と、
前記第ファンの周囲を取り囲む第１マウスと、前記第２ファンの周囲を取り囲む第２マウスを有し、樹脂材料からなるベルマウスと、を備え、
前記第１マウスと前記第２マウスは、一体として形成される、
ことを特徴とする送風機。
【請求項４】
前記第１マウスおよび前記第２マウスの少なくとも一方は、
周方向にリブが形成されている、
請求項１〜３のいずれか一項に記載の送風機。
【発明の詳細な説明】
【技術分野】
【０００１】
本発明は、送風機に関し、特に樹脂製のベルマウスを備える送風機に関する。
【背景技術】
【０００２】
空気調和機は、室内の空気を熱交換する室内機と、外気に対して放熱または外気から吸熱し、送風機を備える室外機を有している。送風機は、ファンと、ファンの周囲を取り囲み、空気を送風するためのベルマウスを備えている。ベルマウスは、ファンと一定のクリアランスを設けて設置される。クリアランスは小さいほど、ベルマウスの送風効果が高くなるため、一般的に、クリアランスは小さく設定される。
ベルマウスを構成する突出口（以下、マウスと呼ぶ）は、ファンの数に対応して設けられる。例えば、特許文献１の室外機は、鉛直方向に並列した２つのファンに対し、マウスが間隔をあけて２つ設けられている。
【０００３】
送風機には、金属製あるいは樹脂製のベルマウスが用いられている。
金属製のベルマウスは、剛性が高いため、積雪荷重や風荷重等の外力により変形するおそれが低いが、加工上の制限があるため形状の自由度は低い。
一方、樹脂製のベルマウスは、例えば射出成形により形成することができるため、形状の自由度は高くなるが、金属製に比べ剛性が低いため、外力により撓み、ベルマウスが変形するおそれがある。
【先行技術文献】
【特許文献】
【０００４】
【特許文献１】特開２０１１−２３１９８５号公報
【発明の概要】
【発明が解決しようとする課題】
【０００５】
マウスが２つ並列し、一体的に形成された樹脂製のベルマウスは、左右両端を固定部材で固定される。ベルマウスに外力が加わると、中央部は外力に対する支えがないため、ベルマウスの中央部分が撓んで、凹むおそれがある。ベルマウスの中央部分が凹むと、マウスは、中央側に変位するため、マウスの配列方向のクリアランスは大きくなり、配列方向と垂直の方向のクリアランスは小さくなる。クリアランスが大きくなると、ベルマウスの送風の性能が低下し、室外機の性能が低下する。一方、クリアランスが小さくなると、ファンとベルマウスが干渉し、ファンおよびベルマウスの破損が生じるおそれがある。
本発明は、このような課題に基づいてなされたもので、マウスが２つ並列された樹脂製のベルマウスが外力を受けたときに、マウスの変位が抑制される送風機を提供することを目的とする。
【課題を解決するための手段】
【０００６】
かかる目的のもと、本発明の送風機は、第１ファンと、第１ファンと並列に設けられる第２ファンとを有する、ファン部と、第１ファンの周囲を取り囲む第１マウスと、第２ファンの周囲を取り囲む第２マウスを有し、樹脂材料からなるベルマウスと、を備え、第１マウスと第２マウスは、外力を受けて変位すると、互いに対向する部位が接することを特徴とする。
第１マウスと第２マウスは、外力を受けて変位すると、互いに対向する部位が接することで、当該部位に加わる力を打ち消し合うことができる。そのため、第１マウスと第２マウスの変位を抑制することができる。そうすると、第１ファンと第１マウス，第２ファンと第２マウスのクリアランスを維持できるため、送風機の性能の低下やベルマウス又はファンの破損を防止できる。
【０００７】
本発明の送風機は、第１マウスと第２マウスの互いに対向する部位に平坦な面が形成されていることが好ましい。
第１マウスと第２マウスが平坦な面で接することで、局所的な力を生じさせずに、接する部位に加わる力を打ち消し合うことができる。
【０００８】
また、本発明の送風機は、第１ファンと、第１ファンと並列に設けられる第２ファンとを有する、ファン部と、第１ファンの周囲を取り囲む第１マウスと、第２ファンの周囲を取り囲む第２マウスを有し、樹脂材料からなるベルマウスと、を備え、第１マウスと第２マウスは、一体として形成されることを特徴とする。
第１マウスと第２マウスを一体として形成することで、一体となっている部位に加わる力を互いに打ち消すことができる。そのため、第１ファンと第１マウス，第２ファンと第２マウスのクリアランスは維持されるため、送風機の性能の低下やベルマウス又はファンの破損を防止できる。
【０００９】
本発明の送風機は、第１マウスおよび第２マウスの少なくとも一方は、周方向にリブが形成されていることが好ましい。
マウスにリブを形成することで、マウスの剛性を向上させることができるため、マウス全体の変形を抑制できる。
【発明の効果】
【００１０】
本発明によれば、樹脂製のベルマウスにおいて、第１マウスと第２マウスは、外力を受けて変位すると互いに対向する部位が接するため、各マウスが変位することを抑制することができる。また、第１マウスと第２マウスを一体として形成することで、各マウスが変位することを抑制できる。
そのため、ベルマウスとファンの間の初期のクリアランスを維持でき、送風機の性能の低下や、ベルマウスとファンの接触による生じ得るベルマウスおよびファンの破損を回避できる。
【図面の簡単な説明】
【００１１】
【図１】本実施の形態にかかる空気調和機の室外機を示す概略図である。
【図２】第１実施形態にかかるベルマウスを示す平面図である。
【図３】外力を受けたときのベルマウスを示す平面図である。
【図４】第２実施形態にかかるベルマウスを示す平面図である。
【図５】変形例にかかるベルマウスを示す平面図である。
【発明を実施するための形態】
【００１２】
以下、添付図面を参照し、本発明の実施形態について説明する。
［第１実施形態］
図１に示すように、本発明の実施形態にかかる空気調和機の室外機１は、吸入口１２が正面１０ａに形成された筐体１０と、筐体１０の内部に設けられる熱交換器１５と、熱交換器１５を通過した空気を排出する送風機１６と、を備える。
送風機１６は、ファン部１７とベルマウス２０と、を備える。ファン部１７は、第１ファン１７ａと、第１ファン１７ａに並列に設けられる第２ファン１７ｂとを有する。
【００１３】
本発明は、ベルマウス２０の構造に特徴を有する。
ベルマウス２０は、室外機１の筐体１０の上面１０ｂを覆うように設けられている。ベルマウス２０は、樹脂材料からなり、例えば射出成形により形成される。
ベルマウス２０は、図２に示すように、基部２３と、第１マウス２１と、第２マウス２２とを備える。以下、第１マウス２１と第２マウス２２を合わせて、マウス２１，２２と表記する場合がある。
基部２３は矩形状をなし、固定部材により筐体１０に固定されている。
第１マウス２１および第２マウス２２は、基部２３から立ち上がるように形成され（図２（ｂ））、幅方向Ｘに間隔Ｇをあけて並列されている（図２（ａ））。
第１マウス２１は筒状をなし、第１ファン１７ａの周囲を取り囲むように設けられている。第１マウス２１は、第１ファン１７ａとクリアランスＨをあけて、設けられている。
第１マウス２１の側壁の一部には平坦部２４で形成されている。平坦部２４は、横断面が矩形状をなし、鉛直方向Ｙに平坦な面が形成されている。第１マウス２１の横断面は、平坦部２４を除くと、円弧状をなしている。
第２マウス２２は、基準線Ｃを対称軸として、第１マウス２１と線対称の形状を有し、第２ファン１７ｂの周囲を取り囲むように設けられている。
また、第２マウス２２は、第１マウス２１の平坦部２４と対向する部位に平坦部２６が形成されている。なお、第２マウス２２は、第２ファン１７ｂとクリアランスＨをあけて、設けられている。
【００１４】
間隔Ｇは、第１マウス２１と第２マウス２２が外力を受けて変位したときに、平坦部２４と平坦部２６が接するように設定される。そのため、第１マウス２１および第２マウス２２が、外力を受けたときに、互いに近づく方向への最大変位量をそれぞれＬ１、Ｌ２とすると、間隔Ｇは、Ｇ＜Ｌ１＋Ｌ２を必ず満たす。
なお、本実施形態では、マウス２１，２２は同じ樹脂で形成されているため、間隔Ｇは、Ｇ＜２×Ｌ１（２×Ｌ２）を満たす。
【００１５】
［作用効果］
以下、本実施形態に係るベルマウス２０の作用効果を説明する。
第１マウス２１が外力を受けると、平坦部２４は第２マウス２２に近づく方向に変位する。一方、第２マウス２２が外力を受けると、平坦部２６は第１マウス２１に近づく方向に変位する。
互いに変位すると、図３に示すように、平坦部２４は所定の位置で平坦部２６と接する。平坦部２４，２６同士が互いに接すると、平坦部２４は、平坦部２６から、それ自身が変位しようとする力と逆向きの力を受ける。一方、平坦部２６は平坦部２４から、それ自身が変位しようとする力と逆向きの力を受ける。
そうすると、互いに平坦部２４，２６に加わる力が打ち消され、マウス２１，２２は変位しなくなる。また、平坦部２４，２６は、互いに平面同士で接するため、局所的な力が加わることを回避できる。
そのため、第１ファン１７ａと第１マウス２１，第２ファン１７ｂと第２マウス２２のクリアランスＨはほぼ維持される。クリアランスＨが維持されると、送風機１６の性能の低下やベルマウス２０とファン１７ａ，１７ｂの接触による、ベルマウス２０又はファン１７ａ，１７ｂの破損を防止できる。
【００１６】
また、従来、樹脂製のベルマウスは、外力を受けると変位するおそれがあるため、主にファンが１つの１ファン仕様の送風機に使用していたが、本実施形態の樹脂製のベルマウス２０は、２つのマウス２１，２２を設けても、外力によるそれらの変位を抑制できるため、ファンが２つ設けられている２ファン仕様の送風機に使用できる。
【００１７】
さらに、本実施形態のベルマウス２０は、樹脂材料からなるため、射出成形により形成できる。そのため、金属製のベルマウスと比べて、マウス２１，２２の高さを自由に変更できる。マウス２１，２２の高さを高くすることで、排出する空気の送風する効果を向上することができる。
【００１８】
［第２実施形態］
第１実施形態では、マウス２１，２２が間隔Ｇをあけて設けられているベルマウス２０について述べた。本実施形態では、第１マウス５１と第２マウス５２が一体として形成されたベルマウス５０について述べる。なお、第１実施形態と同様な部分には同じ符号を付し、説明を省略する。
第１マウス５１および第２マウス５２は、図４に示すように、基部２３から立ち上がるように一体的に形成され、幅方向Ｘに並列している。
第１マウス５１は筒状をなし、第１ファン１７ａの周囲を取り囲むように設けられている。第１マウス５１は、第１ファン１７ａとクリアランスＨをあけて、設けられている。
第２マウス５２は、基準線Ｃを対称軸として、第１マウス５１と線対称の形状を有し、第２ファン１７ｂの周囲を取り囲むように設けられている。第２マウス５２は、第２ファン１７ｂとクリアランスＨをあけて、設けられている。
なお、第１マウス５１と第２マウス５２が一体となっている部位を、便宜上、連結部とよぶ。
【００１９】
［作用効果］
本実施形態に係る、第１マウス５１および第２マウス５２は、一体的に形成されている。
第１マウス５１は、外力を受けると、第１マウス５１側から連結部に力が加わる。同様に、第２マウス５２は、外力を受けると、第２マウス５２側から連結部に力が加わる。
双方に加わる力は、逆向きであるため、連結部に加わる力は打ち消される。そのため、マウス５１，５２の変位は抑制される。
マウス５１，５２の変位が抑制されると、設定されていたクリアランスＨを維持することができる。そのため、送風機１６の性能の低下や、マウス５１，５２とファン１７ａ，１７ｂの接触によるベルマウス５０およびファン１７ａ，１７ｂの破損を防止できる。
【００２０】
また、本実施形態にかかるベルマウス５０も、第１実施形態と同様に、２ファン仕様の送風機１６に適用できる。さらに、射出成形で形成することで、マウス５１，５２の高さを調節することができるため、排出する空気の送風効果を向上させることができる。
【００２１】
［変形例］
以上の実施の形態では、マウス２１，２２（５１，５２）の変位を抑制できるベルマウス２０（５０）について述べたが、変形例ではさらにマウスの変位を抑制する手段について、以下、第２実施形態で述べたベルマウス５０を例に挙げ説明する。
図５に示すように、マウス５１，５２の外周壁の周方向に、それぞれリブ３１，３２を設ける。リブ３１，３２は、樹脂材料からなり、マウス５１，５２と一体的に形成される。
【００２２】
［作用効果］
リブ３１，３２を設けることで、マウス５１，５２の剛性は高くなるため、マウス５１，５２全体が、外力に対して、変位しづらくなる。そうすると、マウス５１，５２全体が、元の形状を維持することができるため、ベルマウス２０の送風効果を維持することができる。
なお、リブはマウス５１，５２の双方に設ける場合に限定されず、どちらか一方に設けてもよい。
また、リブは、第１実施形態のマウス２１，２２に設けることもでき、上記の効果と同様な効果を享受できる。
【００２３】
以上、本実施形態について説明したが、これ以外にも、本発明の主旨を逸脱しない限り、上記実施の形態で挙げた構成を取捨選択したり、他の構成に適宜変更することが可能である。
例えば、第１実施形態では、平坦部２４，２６を有するマウス２１，２２について述べたが、平坦部２４，２６を有さないベルマウスであっても、第１マウス２１の外周壁と、第２マウス２２の外周壁が接することで、互いに変位を抑制するため、送風機１６の性能の低下や、ベルマウスおよびファンの破損を防止できる。
また変形例において、リブ３１，３２は、マウスの外周壁に設けたが、内周壁に設けることもできる。リブ３１，３２を内周壁に設けた場合でも、マウスの剛性を向上させることができる。
【符号の説明】
【００２４】
１      室外機
１０    筐体
１０ａ  正面
１０ｂ  上面
１２    吸入口
１５    熱交換器
１６    送風機
１７    ファン部
１７ａ  第１ファン
１７ｂ  第２ファン
２０    ベルマウス
２１    第１マウス
２２    第２マウス
２３    基部
２４    平坦部
２６    平坦部
３１，３２  リブ
５０    ベルマウス
５１    第１マウス
５２    第２マウス
Ｃ      基準線
Ｇ      間隔
Ｈ      クリアランス
Ｘ      幅方向
Ｙ      鉛直方向
【図１】
2015113818.tif 000003
【図２】
2015113818.tif 000004
【図３】
2015113818.tif 000005
【図４】
2015113818.tif 000006
【図５】
2015113818.tif 000007